(57)【特許請求の範囲】
【請求項１】
ベース、
前記ベースに対して回動自在に設けられたハンドル、および
前記ハンドルの動きに連動して上下動するように設けられたパンチ刃を備えた、パンチであって、
前記ハンドルが支持軸部によって回動自在に取り付けられている支持部を備え、
前記ハンドルの動きに連動するとともに、前記ベースと協働して、綴杆ピンを有する綴杆ピン部と前記綴杆ピンが挿入される綴杆挿入穴を有する綴杆挿入穴部とを備えた綴じ具を挟んで押圧して前記綴杆ピンを前記綴杆挿入穴に挿入するように構成された押圧部を備え、
前記パンチ刃と前記押圧部とは、前記ベースの前側において、略々同じ領域に形成された被綴じ物載置部に向けて配設され、且つ、前記押圧部は、前記パンチ刃より前側において、前記パンチ刃と接近して配設され、さらに前記支持軸部より前側において前記綴じ具を押圧するように配設された、パンチ。
【請求項２】
前記ハンドルおよび前記パンチ刃は上下動軸を介して接続され、前記押圧部は前記上下動軸に接続されており、
前記押圧部は上下動軸挿通用長孔が穿設されており、
前記上下動軸挿通用長孔は、前記押圧部が上下動する前側に向かうに従って、前記ベースより離れる方向に向かう長い孔であり、
前記支持部はパンチ刃挿通用孔と上下動軸挿通用長孔とが穿設されており、
前記パンチ刃は、前記支持部のパンチ刃挿通用孔に挿通され、
前記上下動軸は、前記支持部の上下動軸挿通用長孔に貫挿されるとともに、前記押圧部の上下動軸挿通用長孔に貫挿され、
前記ハンドルの把持部の後ろ側およびベースの把持部の後ろ側を互いに近づける方向に可動させることにより、前記パンチ刃が被綴じ物に綴じ孔を穿孔するとともに、
前記上下動軸が前記押圧部の上下動軸挿通用長孔の孔壁に沿って上下動することにより前記押圧部の前部を上下動するように構成された、請求項１に記載のパンチ。
【請求項３】
前記ベースには、前記綴じ具の前記綴杆ピン部または前記綴杆挿入穴部を位置決め保持するための綴じ具保持用凹部が形成された、請求項１または請求項２に記載のパンチ。
【請求項４】
前記綴じ具保持用凹部の中央には、前記綴杆ピン部の前記綴杆ピンを逃がすための綴じ具保持用補助凹部が形成された、請求項３に記載のパンチ。
【請求項５】
前記押圧部には、前記綴じ具を挟んで押圧する際に前記綴杆ピンの周囲で前記綴じ具に当たる押圧用凸部が設けられた、請求項１ないし請求項４のいずれかに記載のパンチ。
【発明の詳細な説明】
【技術分野】
【０００１】
この発明は、パンチに関し、特に、たとえば書類等の被綴じ物に綴じ穴をあけることができるパンチに関する。
【背景技術】
【０００２】
この発明の背景となる従来のパンチなどの例が、たとえば実開昭６２−１４７５００号公報（特許文献１参照）および実開平７−３３６７６号公報（特許文献２参照）に開示されている。
特許文献１に開示されている従来のパンチは、ベースと、ベースに対して回動自在に設けられたハンドルと、ハンドルの動きに連動して上下動するように設けられたパンチ刃とを備えたものである。このパンチでは、被綴じ物をベースおよびパンチ刃間の所定の位置にセットし、ベースに対してハンドルを押すことによって、パンチ刃で被綴じ物に綴じ穴をあけることができる。
特許文献２に開示されている従来の紙束の穿孔綴じ装置は、基台前方に紙束先端位置決め段部を設け、基台に固定したフレームに上下動自在に枢着した押圧レバーにより紙束所定位置に穿孔する切削刃をフレームに配設した紙束の穿孔綴じ装置に於て、フレーム後端に穿孔紙束先端位置決め段部を設け、該穿孔紙束の穿孔位置下方の基台にワッシャ嵌入凹部を設け、該凹部下方に綴じピン下端部挿入孔部を設け、押圧レバーにより綴じピンを押圧するように構成されている。
【先行技術文献】
【特許文献】
【０００３】
【特許文献１】実開昭６２−１４７５００号公報
【特許文献２】実開平７−３３６７６号公報
【発明の概要】
【発明が解決しようとする課題】
【０００４】
最近、上述のようにして綴じ穴があけられた被綴じ物を複数枚重ね、複数枚の被綴じ物の綴じ穴に通すことによって、複数枚の被綴じ物を綴じることができる綴じ具が考え出されている。この綴じ具は、綴杆ピンを有する綴杆ピン部と、綴杆ピンが挿入される綴杆挿入穴を有する綴杆挿入穴部とを備えたものである。この綴じ具では、綴杆ピン部の綴杆ピンを複数枚の被綴じ物の綴じ穴に通してから、綴杆挿入穴部の綴杆挿入穴に挿入することによって、複数枚の被綴じ物を綴じることができる。
そのような綴じ具は、通常、指先などで綴杆ピン部および綴杆挿入穴部を挟んで押圧することによって、綴杆ピン部の綴杆ピンが綴杆挿入穴部の綴杆挿入穴に挿入される。
しかしながら、そのような綴じ具の綴杆ピン部や綴杆挿入穴部は小さい部材であるので、綴杆ピン部および綴杆挿入穴部を指などで挟んで綴杆ピン部の綴杆ピンを綴杆挿入穴部の綴杆挿入穴に挿入することは困難である。
また、特許文献１に開示されているパンチでは、そのような綴じ具の綴杆ピン部および綴杆挿入穴部を挟んで綴杆ピン部の綴杆ピンを綴杆挿入穴部の綴杆挿入穴に挿入することはできない。
一方、特許文献２に開示されている紙束の穿孔綴じ装置では、被綴じ物に綴杆挿入穴を穿孔するために被綴じ物を挿入する位置と、被綴じ物を綴じ具で綴じるために被綴じ物を挿入する位置とは、異なっており、離れている。また、それらの被綴じ物を挿入する方向も、互いに異なっている。
そのために、従来の紙束の穿孔綴じ装置では、被綴じ物に綴杆挿入穴を穿孔したり被綴じ物を綴じ具で綴じたりする際に、被綴じ物を挿入することが煩雑である。
【０００５】
それゆえに、この発明の主たる目的は、被綴じ物に綴じ穴をあけることができるとともに、被綴じ物の綴じ穴に通して被綴じ物を綴じる綴じ具の綴杆ピン部および綴杆挿入穴部を挟んで押圧して綴杆ピン部の綴杆ピンを綴杆挿入穴部の綴杆挿入穴に挿入することが簡単にできる、パンチを提供することである。
【課題を解決するための手段】
【０００６】
請求項１にかかる本発明は、ベースと、ベースに対して回動自在に設けられたハンドルと、ハンドルの動きに連動して上下動するように設けられたパンチ刃とを備えた、パンチであって、ハンドルが支持軸部によって回動自在に取り付けられている支持部を備え、ハンドルの動きに連動するとともに、ベースと協働して、綴杆ピンを有する綴杆ピン部と綴杆ピンが挿入される綴杆挿入穴を有する綴杆挿入穴部とを備えた綴じ具を挟んで押圧して綴杆ピンを綴杆挿入穴に挿入するように構成された押圧部を備え、パンチ刃と押圧部とは、ベースの前側において、略々同じ領域に形成された被綴じ物載置部に向けて配設され、且つ、押圧部は、パンチ刃より前側において、パンチ刃と接近して配設され、さらに支持軸部より前側において綴じ具を押圧するように配設された、パンチである。
請求項２にかかる本発明は、請求項１にかかる発明に従属する発明であって、ハンドルおよびパンチ刃は上下動軸を介して接続され、押圧部は上下動軸に接続されており、押圧部は上下動軸挿通用長孔が穿設されており、上下動軸挿通用長孔は、押圧部が上下動する前側に向かうに従って、ベースより離れる方向に向かう長い孔であり、支持部はパンチ刃挿通用孔と上下動軸挿通用長孔とが穿設されており、パンチ刃は、支持部のパンチ刃挿通用孔に挿通され、上下動軸は、支持部の上下動軸挿通用長孔に貫挿されるとともに、押圧部の上下動軸挿通用長孔に貫挿され、ハンドルの把持部の後ろ側およびベースの把持部の後ろ側を互いに近づける方向に可動させることにより、パンチ刃が被綴じ物に綴じ孔を穿孔するとともに、上下動軸が押圧部の上下動軸挿通用長孔の孔壁に沿って上下動することにより押圧部の前部を上下動するように構成された、パンチである。
請求項３にかかる本発明は、請求項１または請求項２にかかる発明に従属する発明であって、ベースには、綴じ具の綴杆ピン部または綴杆挿入穴部を位置決め保持するための綴じ具保持用凹部が形成された、パンチである。
請求項４にかかる本発明は、請求項３にかかる発明に従属する発明であって、綴じ具保持用凹部の中央には、綴杆ピン部の綴杆ピンを逃がすための綴じ具保持用補助凹部が形成された、パンチである。
請求項５にかかる本発明は、請求項１ないし請求項４のいずれかにかかる発明であって、押圧部には、綴じ具を挟んで押圧する際に綴杆ピンの周囲で綴じ具に当たる押圧用凸部が設けられた、パンチである。
【０００７】
この発明にかかるパンチでは、被綴じ物をベースおよびパンチ刃間の所定の位置にセットし、ベースに対してハンドルを押すことによって、パンチ刃で被綴じ物に綴じ穴をあけることができる。
さらに、この発明にかかるパンチでは、ベースおよび押圧部間に綴じ具を配置し、ベースに対してハンドルを押すことによって、書類等の被綴じ物の綴じ穴に通して被綴じ物を綴じる綴じ具の綴杆ピン部および綴杆挿入穴部を挟んで押圧して綴杆ピン部の綴杆ピンを綴杆挿入穴部の綴杆挿入穴に挿入することができる。そのため、当該綴じ具により被綴じ物を綴じることができる。
【発明の効果】
【０００８】
この発明によれば、被綴じ物に綴じ穴をあけることができるとともに、被綴じ物の綴じ穴に通して被綴じ物を綴じる綴じ具の綴杆ピン部および綴杆挿入穴部を挟んで押圧して綴杆ピン部の綴杆ピンを綴杆挿入穴部の綴杆挿入穴に挿入することができる、パンチが得られる。
【０００９】
この発明の上述の目的、その他の目的、特徴および利点は、図面を参照して行う以下の発明を実施するための形態の説明から一層明らかとなろう。
【図面の簡単な説明】
【００１０】
【図１】この発明にかかるパンチの一例を示す斜視図である。
【図２】図１のパンチ１０にリーフ（用紙）Ｐがセットされた状態を示す斜視図である。
【図３】図１および図２に示すパンチに適用される支持部の一例を示す右側面図である。
【図４】図３のＡ矢視図（正面図）である。
【図５】図１および図２に示すパンチに適用される押圧部の一例を示す右側面図である。
【図６】図５の一部切り欠き断面図である。
【図７】図５のＢ矢視図（正面図）である。
【図８】図６のＢ´矢視図（正面図）である。
【図９】支持部と押圧部との取り付け状態の一例を示すとともに、押圧部の上動状態を示す右側面図である。
【図１０】支持部と押圧部との取り付け状態の一例を示すとともに、押圧部の下動状態を示す右側面図である。
【図１１】図９のＣ矢視図（正面図）である。
【図１２】図１０のＣ´矢視図（正面図）である。
【図１３】図１および図２に示すパンチに適用されるベースの一例を示す図であって、（Ａ）は、その平面図であり、（Ｂ）は、（Ａ）のＩ−Ｉ断面図であり、（Ｃ）は、支持部設置用穴に支持部をセットした状態を示す要部右側面図である。
【図１４】ベースに支持部をセットした状態を示す平面図である。
【図１５】（Ａ）は、支持部の上下動軸挿通用長孔において、上下動軸棒が上動した状態を示すとともに、パンチ刃挿通用孔において、パンチ刃が上動した状態を示す右側面図であり、（Ｂ）は、（Ａ）のＩＶ−ＩＶ断面図である。
【図１６】（Ａ）は、支持部の上下動軸挿通用長孔において、上下動軸棒が下動した状態を示すとともに、パンチ刃挿通用孔において、パンチ刃が下動した状態を示す右側面図であり、（Ｂ）は、（Ａ）のＶ−Ｖ断面図である。
【図１７】パンチ刃の一例を示す右側面図である。
【図１８】図３のＩＩ部詳細図であるとともに、ばねの取り付け状態を示す図であって、（Ａ）は、ばねの付勢力によりハンドルがベースに対して開く方向に付勢されている状態を示す右側面図であり、（Ｂ）は、ばねの付勢力に抗してハンドルおよびベースが閉じる方向に可動されている状態を示す右側面図である。
【図１９】図４のＩＩＩ部詳細図であるとともに、ばねの取り付け状態を示す正面図である。
【図２０】図１および図２に示すパンチの分解斜視図である。
【図２１】図１および図２に示すパンチにおいて、ハンドルの動きに連動して上下動可能なパンチ刃と上下動軸棒の位置関係を示す斜視図である。
【図２２】図１および図２に示すパンチにおいて、ハンドルの動きに連動して可動するばねの第１ばね脚部および第２ばね脚部と、ハンドルおよびベースとの位置関係を示す斜視図である。
【図２３】綴じ具の一例を示す右側面である。
【図２４】図１に示す綴じ具の平面図である。
【図２５】（Ａ）は、図２３および図２４に示す綴じ具をベースの綴じ具保持用凹部にセットした状態の一例を示す正面面であり、（Ｂ）は、（Ａ）の要部拡大図である。
【図２６】図１に示すパンチを用いて、図２３および図２４に示す綴じ具により、書類等の被綴じ物を綴じた状態を示す要部右側面図である。
【図２７】（Ａ）は、図２３および図２４に示す綴じ具をベースの綴じ具保持用凹部にセットした状態の他の例を示す正面面であり、（Ｂ）は、（Ａ）の要部拡大図である。
【発明を実施するための形態】
【００１１】
図１は、この発明にかかるパンチの一例を示す斜視図であり、図２は、図１のパンチ１０にリーフ（用紙）Ｐがセットされた状態を示す斜視図である。
【００１２】
図１および図２に示すパンチ１０は、リーフ（用紙）Ｐに綴じ孔Ｈを穿孔するための器具であり、ベース１２と、前記ベース１２に対して回動自在に設けられたハンドル１４と、前記ハンドル１４の動きに連動して上下動するように設けられたパンチ刃１６と、ハンドル１４を開くときに付勢するばね１８（図１８〜図２０参照。）とを備えている。
パンチ１０は、ハンドル１４の握り手側を後ろ側（手前側）とし、ハンドル１４の回動の中心（すなわち、支持軸部７０）より前側（向こう側）であってリーフ（用紙）Ｐの挿入側を前側（向こう側）とし、後ろ側より前側にのびる長手方向と、後ろ側から見て右側から左側にのびる幅方向とを備える。
なお、図１および図２は、パンチ１０の右側面側から見た状態の斜視図であり、図１および図２の左方側から見る方向がパンチ１０の正面視方向となり、パンチ１０の前側［リーフ（用紙）Ｐの挿入側］となって、図１および図２の右方側から見る方向がパンチ１０の背面視方向となり、パンチ１０の後ろ側（ベース１２およびハンドル１４の握り手側）となっている。
【００１３】
パンチ１０は、穿孔され綴じられる被綴じ物たるリーフ（用紙）Ｐに穿孔された綴じ孔Ｈ（図２６参照）に綴じ具２００を挿入して取り付けるための綴具取付け部２０を備える。
パンチ刃１６と綴具取付け部２０とは、接近して配設される。
【００１４】
綴具取付け部２０は、ハンドル１４の動きに連動するとともに、ベース１２と協働して、綴杆ピン２１２と綴杆ピン２１２が挿入される綴杆挿入穴２２４を備えた綴じ具２００を挟んで押圧して、綴杆ピン２１２を綴杆挿入穴２２４に挿入するように構成された押圧部２２を備えている。
押圧部２２は、ベース１２にハンドル１４及び綴具取付け部２０を回動自在に取り付けるための支持部２４に連結されている。
押圧部２２は、ベース１２の前側（向こう側）であって、ハンドル１４の前側（向こう側）に配設されている。
【００１５】
支持部２４は、ベース１２の支持部設置用穴３０に、支持部２４の下部に設けられた設置部材４０を嵌合して固定されている。
【００１６】
ハンドル１４は、支持部２４に、支持軸部７０（図１８〜図２０参照。）によって、支持部２４の上方に回転自在に取り付けられている。
ハンドル１４は、その前側（向こう側）にパンチ刃１６及び綴具取付け部２０を配設する領域を有している。ハンドル１４は、その後ろ側（手前側）にリーフ（用紙）Ｐを穿孔し且つ綴じるときに押す又は握る領域を有している。
ハンドル１４は、支持軸部用孔部７２に装填されて支持軸部７０の軸方向の中間部に巻き付けられたばね１８により、後ろの手元の把持部７８が上る方向に付勢されている。
【００１７】
ハンドル１４には、たとえば図２に示すように、幅方向に上下動軸棒９０が設けられ、上下動軸挿通用孔７４に固定された上下動軸棒９０によって、パンチ刃１６が取り付けられている。
パンチ刃１６は、上下動軸挿通用孔８０（図２，図１７および図２０）を有し、上下動軸挿通用孔８０に挿通された上下動軸棒９０によって、ハンドル１４に取り付けられている。
【００１８】
ベース１２は、その前側（向こう側）に、綴じ孔Ｈを穿孔し且つ綴じるためにリーフ（用紙）Ｐを載置するための、被綴じ物載置部２６を有し、被綴じ物載置部２６の上部にリーフ（用紙）Ｐを挿入できる空間を有している。
被綴じ物載置部２６は、ベース１２の前側（向こう側）が空いてリーフ（用紙）Ｐの差し込み口２６ａを形成されており、前側（向こう側）の差し込み口２６ａからリーフ（用紙）Ｐを被綴じ物載置部２６の上部の空間内に差し込み挿入されるように形成されている。
【００１９】
被綴じ物載置部２６は、パンチ刃１６によって穿孔されるときの穿孔領域２６ｂがベース１２の後ろ側（手前側）すなわち奥側に形成され、綴具取付け部２０によって、綴じ具２００をリーフ（用紙）Ｐに取り付けるときの綴じ込み領域２６ｃがベース１２の前側（向こう側）に形成されている。
穿孔領域２６ｂと綴じ込み領域２６ｃとは連続しており、略々同じ高さ位置に形成されている。
被綴じ物載置部２６は、綴じ孔Ｈを穿孔するためにリーフ（用紙）Ｐを最適な位置に載置するための位置決め部２８を備える。
位置決め部２８は、リーフ（用紙）Ｐの綴じ孔Ｈを穿孔する側の端縁を接合するように形成されている。
位置決め部２８は、パンチ刃１６によってリーフ（用紙）Ｐに綴じ孔Ｈを穿孔するときの位置決め部が、支持部２４の被綴じ物挿通用スリット４２の奥側の垂直壁２８ａによって形成される。
位置決め部２８は、綴具取付け部２０によってリーフ（用紙）Ｐの綴じ孔Ｈに綴じ具２００を取り付けるときの位置決め部が、綴じ具２００の連設部２３０の前側の垂直壁２８ｂによって形成される。
垂直壁２８ｂは、湾曲している形状でもよい。
【００２０】
被綴じ物載置部２６は、パンチ刃１６と綴具取付け部２０とが、その上方の空間に向いて、配設されている。
被綴じ物載置部２６は、その上方に載置されたリーフ（用紙）Ｐに向けて、パンチ刃１６が上下動して綴じ孔Ｈを穿孔し、且つ、リーフ（用紙）Ｐに穿孔された綴じ孔Ｈに綴じ具２００を綴じるように形成されている。
【００２１】
パンチ刃１６は、たとえば図３および図４に示すように、支持部２４のパンチ刃挿通用孔４８に挿通され、パンチ刃嵌挿孔５８に嵌挿される。ハンドル１４の把持部７６の後ろ側とベース１２の把持部７８の後ろ側とを手で握り、ハンドル１４の把持部７６の後ろ側およびベース１２の把持部７６の後ろ側を可動させ、ベース１２に向ってハンドル１４を下動させることにより、リーフ（用紙）Ｐに綴じ孔Ｈ（図２６参照。）を穿孔する。
【００２２】
支持部２４は、たとえば図３および図４に示すように、パンチ刃挿通用孔４８より向こう側すなわちリーフ（用紙）Ｐの挿入側において、ハンドル支持用凹部４６ａおよびハンドル支持用凹部４６ｂが幅方向に穿設されている。
支持部２４の左側の壁面２５ｂおよび右側の壁面２５ａには、それぞれ、図３および図４に示すように、パンチ刃挿通用孔４８より手前側すなわちハンドル１４の手前側において、押圧部支持用凹部４４が長手方向に穿設されている。
ハンドル支持用凹部４６ａおよびハンドル支持用凹部４６ｂには、たとえば図１８および図１９に示すように、ハンドル１４を支持部２４に回転自在に取り付けるための支持軸部７０が取り付けられている。押圧部支持用凹部４４には、たとえば図９および図１０に示すように、押圧部２２を支持部２４に回転自在に取り付けるための支持軸部１００が取り付けられる。
【００２３】
支持部２４は、立方体ないしは直方体状であって、左側の壁面２５ｂと右側の壁面２５ａとは、略々平行な平面である。
支持部２４は、支持軸部７０より前側（向こう側）に配設されている。
【００２４】
支持部２４は、たとえば図３および図４に示すように、リーフ（用紙）Ｐを前より挿入するための被綴じ物挿通用スリット４２と、水平方向において前より後ろ側に向けて穿設された被綴じ物挿通用スリット４２を有する。
【００２５】
支持部２４の設置部材４０には、その前側に、たとえば図１１，図１２，図１５，図１６および図２０に示すように、支持部２４をベース１２に取り付けるためのたとえば２つの支持部設置用突部５４，および支持部設置用突部５６が突設されている。
支持部２４は、パンチ刃挿通用孔４８の両側に上下動軸挿通用長孔５０ａおよび上下動軸挿通用長孔５０ｂが穿設されており、右側の上下動軸挿通用長孔５０ａが押圧部２２の上下動軸挿通用長孔１０４と対向し、左側の上下動軸挿通用長孔５０ｂが押圧部２２の上下動軸挿通用長孔１０６と対向している。
支持部２４の上下動軸挿通用長孔５０ａおよび上下動軸挿通用長孔５０ｂに貫挿され、押圧部２２の上下動軸挿通用長孔１０４と上下動軸挿通用長孔１０６に貫挿された上下動軸棒９０が、ハンドル１４の把持部７６の後ろ側およびベース１２の把持部７８の後ろ側をグリップ方向に可動させることにより、押圧部２２が上下動する。
【００２６】
支持部２４の底部には、たとえば図３，図４，図９，図１０，図１１，図１２，図１５および図１６に示すように、穿孔時にパンチ刃１６が下動したときに、パンチ刃１６を逃すためのパンチ刃嵌挿孔５８が穿設されている。
【００２７】
押圧部２２は、たとえば図９〜図１２および図２０に示すように、前記支持部２４の外形に沿った形状であって、支持部２４の外面に被せられる形状であり、板状体で形成されている。
押圧部２２は、たとえば図５〜図８に示すように、支持部２４の右側の壁面２５ａに対向する右側壁１２０と、支持部２４の左側の壁面２５ｂに対向する左側壁１２２とを有し、それらの前側には、前壁１２４が架設されている。
平面視Ｕ字形ないしコの字形の右側壁１２０と左側壁１２２と前壁１２４とで囲まれた領域の後部において、後壁１２６が右側壁１２０および左側壁１２２架け渡されている。
右側壁１２０と左側壁１２２とは対向しており、それらの間に支持部２４が嵌挿される。
押圧部２２は、支持軸部７０より前側（向こう側）に配設されている。
【００２８】
押圧部２２には、その右側壁１２０及び左側壁１２２の中央付近に、上下動軸挿通用長孔１０４及び上下動軸挿通用長孔１０６が穿設されている。
右側壁１２０の上下動軸挿通用長孔１０４は、前記支持部２４のパンチ刃挿通用孔４８の近傍において、パンチ刃挿通用孔４８の延びる方向に略沿う長孔である。
左側壁１２２の上下動軸挿通用長孔１０６は、前記支持部２４のパンチ刃挿通用孔４８の近傍において、パンチ刃挿通用孔４８の延びる方向に略沿う長孔である。
【００２９】
上下動軸挿通用長孔１０４および１０６は、それぞれ、前側［リーフ（用紙）Ｐの挿入側］、すなわち、押圧部２２が上下動する前側に向かうに従って、上方すなわちベース１２より離れる方向に向かう長い孔である。
【００３０】
押圧部２２には、たとえば図５〜図８に示すように、前記上下動軸挿通用長孔１０４及び上下動軸挿通用長孔１０６より後ろ側において、支持軸部１００が形成されている。
右側壁１２０の支持軸部嵌挿入孔１４０と左側壁１２２の支持軸部嵌挿入孔１４２とは、対向しており、右側壁１２０及び左側壁１２２の略々同じ位置に形成されている。
押圧部２２は、たとえば図９および図１０に示すように、右側壁１２０から支持部２４の押圧部支持用凹部４４に貫挿され、左側壁１２２に至る支持軸部１００により、支持部２４に回転自在に取り付けられている。
【００３１】
押圧部２２は、図９および図１０に示すように、右側壁１２０の上下動軸挿通用長孔１０４から、支持部２４のパンチ刃挿通用孔４８を経て左側壁１２２の上下動軸挿通用長孔１０６に至る上下動軸棒９０により、前記支持軸部１００を中心にして上下方向に揺動する。
ハンドル１４の上下動により上下動する上下動軸棒９０は、上下動軸挿通用長孔１０４及び上下動軸挿通用長孔１０６の孔壁に沿って上下動することにより、押圧部２２の前部を上下動させる。
ハンドル１４の把持部７６の後ろ側とベース１２の把持部７８の後ろ側とを握り、ハンドル１４の把持部７６の後ろ側とベース１２の把持部７８の後ろを接近させることにより、ハンドル１４の前は上下動する。
【００３２】
支持軸部７０と上下動軸棒９０と支持軸部１００とは、ハンドル１４、押圧部２２及び支持部２４の幅方向（パンチ１０の後ろ側から見て左右方向）に、平行に配設されている。
支持軸部７０は、上下動軸棒９０より前側［リーフ（用紙）Ｐの挿入側］に位置しており、支持軸部１００は、上下動軸棒９０より後ろ側で支持軸部７０及び上下動軸棒９０より下方に位置している。
【００３３】
押圧部２２は、たとえば支持部２４の前側より後ろ側に向けて支持部２４の外周面上に嵌入され、支持軸部１００によって支持部２４の後ろに回動自在に取り付けられる。
押圧部２２には、支持軸部１００より上方に位置している上下動軸挿通用長孔１０４から支持部２４のパンチ刃挿通用孔４８を経て支持軸部１００より上方に位置している上下動軸挿通用長孔１０６に、貫通された上下動軸棒９０の挿通部９２が貫挿されている。押圧部２２は、支持軸部１００を枢軸として上下動する。
【００３４】
上下動軸棒９０は、たとえば図１４に示すように、挿通部９２の上下動軸挿通用長孔１０４より突き出た部位に支持端部９４ａを固定し、且つ挿通部９２の上下動軸挿通用長孔１０６より突き出た部位に支持端部９４ｂを固定して、押圧部２２の右側壁１２０及び左側壁１２２に留められる。
なお、支持端部９４ａおよび支持端部９４ｂは、図１，図２および図２０等に示すように、たとえば有底状のキャップの態様を有することができ、あるいは、フランジ状の態様を有することができ、さらに、当該支持端部９４ａおよび支持端部９４ｂをかしめる態様とすることもできる。
【００３５】
また、押圧部２２には、たとえば図５ないし図１０および図２５に示すように、前壁１２４の下端に、２つの押圧用凸部１０２が、幅方向において、綴じ具２００の綴杆ピン２１２の直径より広い間隔を隔ててかつ綴じ具２００の第１綴じ板２１０または第２綴じ板２２０（図２３および図２４参照。）の幅方向における長さより狭い間隔を隔てて、下向きに設けられている。これらの押圧用凸部１０２は、このパンチ１０で綴じ具２００を挟んで押圧する際に、綴じ具２００の綴杆ピン２１２の邪魔にならないように、綴杆ピン２１２の周囲でたとえば綴杆ピン２１２の左右の両側部分で、綴じ具２００の第１綴じ板２１０または第２綴じ板２２０に当たるためのものである。
さらに、これらの押圧用凸部１０２は、特に、図２５に示すように、このパンチ１０で綴杆ピン２１２が上向きになるように綴じ具２００を押圧した際に、第２綴じ板２２０より上方に突き出た綴杆ピン２１２の先端部分が押圧部２２に当たらないようにするために、その突き出た綴杆ピン２１２の先端部分の高さより長く下向きに形成されている。
【００３６】
一方、ベース１２には、たとえば図１３の（Ａ）および（Ｂ）並びに図１４および図２５の（Ａ）および（Ｂ）に示すように、押圧部２２の前壁１２４の押圧用凸部１０２の下端に対向する前側において、綴じ具２００の第１綴じ板２１０または第２綴じ板２２０を位置決め保持するための綴じ具保持用凹部１５０が形成されている。この場合、綴じ具保持用凹部１５０は、後述する綴じ具２００の第１綴じ板２１０または第２綴じ板２２０の外形形状（輪郭）と略同じか僅かに大きい形状に形成されている。
すなわち、この発明を実施するための形態の例では、綴じ具保持用凹部１５０が、第１の綴じ具保持用凹部１５０ａおよび第２の綴じ具保持用凹部１５０ｂを含む。第１の綴じ具保持用凹部１５０ａは、ベース１２の前側（向こう側）より内側に向けて拡がる平面視略方形状でありその幅方向における長さが、後述する綴じ具２００の第１綴じ板２１０の大径部２１０ａまたは第２綴じ板２２０の大径部２２０ａの幅方向における長さと略同じ長さに形成されている。また、第２の綴じ具保持用凹部１５０ｂは、前記第１の綴じ具保持用凹部１５０ａの後ろ側（手前側）に連設された第１の綴じ具保持用凹部１５０ａより内側に向けて拡がる平面視略方形状であり、その幅方向における長さが、第１綴じ板２１０の小径部２１０ｂまたは第２綴じ板２２０の小径部２２０ｂの幅方向における長さ、あるいは、連設部２３０の幅方向における長さと略同じ長さに形成されている。
そのため、第１の綴じ具保持用凹部１５０ａおよび第２の綴じ具保持用凹部１５０ｂによって、綴じ具２００の第１綴じ板２１０または第２綴じ板２２０をベース１２の所定の位置に位置決め保持することができる。
【００３７】
綴じ具保持用凹部１５０は、被綴じ物載置部２６の前側（向こう側）に配設され、リーフ（用紙）Ｐを水平に載置するために、被綴じ物載置部２６と略々同じ高さ位置に形成されている。
【００３８】
押圧用凸部１０２は、幅方向において、綴じ具保持用凹部１５０とずれないように直上に位置決めされて配設されており、支持軸部７０を中心にした円弧状軌跡を描いて綴じ具保持用凹部１５０に向けて回動するように、配設されている。
【００３９】
さらに、ベース１２には、たとえば図１３の（Ａ）および（Ｂ），図１４並びに図２７の（Ａ）および（Ｂ）に示すように、綴じ具保持用凹部１５０の中央に、綴じ具２００の綴杆ピン２１２を逃がすための綴じ具保持用補助凹部１５２が形成されている。この綴じ具保持用補助凹部１５２は、綴じ具２００を押圧した際に第２綴じ板２２０より下方に突き出た綴杆ピン２１２の先端部分より大きく形成されている。
【００４０】
ベース１２には、たとえば図１３に示すように、略中央付近において、支持部設置用穴３０が上面に穿設されている。
支持部設置用穴３０は、支持部２４の底部の形状に沿う平面形状であって、底面の近傍において、その前に支持部２４の支持部設置用突部５４及び支持部設置用突部５６を嵌入するための支持部設置用窪み３２及び支持部設置用窪み３４が穿設されている。
ベース１２には、たとえば図１３および図１４並びに図１および図２に示すように、支持部設置用穴３０の後ろに、上方すなわち押圧部２２側に向けて、ストッパ３８が配設されている。ストッパ３８は、ハンドル１４の下動によって、押圧部２２が余計に後に移動することを防ぐために、押圧部２２の後ろ側と接する。
【００４１】
ばね１８は、たとえば図１８〜図２０および図２２に示すように、コイル部６０が支持軸部７０の周囲に巻装され、コイル部６０より上方に向けて突出した第１ばね脚部６２がハンドル１４の下面に当接し、コイル部６０より下方に向けて突出した第２ばね脚部６４が支持部２４のばね用穴５２に挿入されている。
第２ばね脚部６４は、支持部２４のばね用穴５２に挿入されている。
【００４２】
次に、パンチ１０を用い、綴じ具２００をリーフ（用紙）Ｐの綴じ孔Ｈに取り付ける方法について説明する。
本発明に係るパンチ１０により綴じられる綴じ具２００は、たとえば図２３および図２４に示すように、綴杆ピン２１２と、綴杆ピン２１２が立設された第１綴じ板２１０と、綴杆ピン２１２を挿入して係止する受け部２２２を有している綴杆挿入穴２２４と、綴杆挿入穴２２４が設けられた第２綴じ板２２０と、第１綴じ板２１０と第２綴じ板２２０とを繋ぐために第１綴じ板２１０と第２綴じ板２２０との間に屈曲自在に配設された連設部２３０とを備える。
第１綴じ板２１０は、後述の連設部２３０の反対側から順に、大径部２１０ａおよび小径部２１０ｂを有し、大径部２１０ａおよび小径部２１０ｂは、一体的に形成されている。第２綴じ板２２０は、後述の連設部２３０の反対側から順に、大径部２２０ａおよび小径部２２０ｂを有し、大径部２２０ａおよび小径部２２０ｂは一体的に形成されている。
第１綴じ板２１０の小径部２１０ｂと第２綴じ板２２０の小径部２２０ｂとを繋ぐために第１綴じ板２１０と第２綴じ板２２０との間の連設部２３０は、ヒンジ部２４０及び２４２により屈曲自在に連続されている。
この綴じ具２００は、綴杆ピン２１２と綴杆挿入穴２２４と連設部２３０とが、一体的に形成されものであり、弾力性を有する樹脂材料で形成される。
【００４３】
綴じ具２００は、このパンチ１０によって綴じ穴Ｈが穿孔されたリーフ（用紙）Ｐを綴じるために、たとえば図２５の（Ａ），（Ｂ）に示すように、連設部２３０を後ろ側に向けて、綴じ具２００の第１綴じ板２１０を、綴杆ピン２１２を上にして、綴じ具保持用凹部１５０に嵌め込む。第１綴じ板２１０は、第１綴じ板２１０の連設部２３０とは反対側の端縁がベース１２の内側すなわち第２の綴じ具保持用凹部１５０ｂ側に向けられて、第１の綴じ具保持用凹部１５０ａに嵌め込まれる。
第２綴じ板２２０は、押圧部２２の前壁１２４の下方において、後ろ側から前側に折り曲げて、押圧部２２の前壁１２４の下方に位置させる。第１綴じ板２１０と第２綴じ板２２０とは、対向し、第１綴じ板２１０及び第２綴じ板２２０と連設部２３０とは略々直交する断面略コの字形となり、第１綴じ板２１０と第２綴じ板２２０の前側（向こう側）より後ろ側（手前側）に挿入されたリーフ（用紙）Ｐは、第１綴じ板２１０及び第２綴じ板２２０より奥側に存在する連設部２３０により位置決めないしは規制される。
そして、ハンドル１４の把持部７６の後ろ側とベース１２の把持部７８の後ろ側とを握り、ハンドル１４の把持部７６の後ろ側を下方に押し、ベース１２の把持部７８の後ろ側を上方に押すと、上下動軸棒９０が下降して上下動軸挿通用長孔１０４及び上下動軸挿通用長孔１０６の孔壁を押し下げるので、押圧部２２の前壁１２４に形成された押圧用凸部１０２に嵌入した第２綴じ板２２０を押し下げる。
さらに、ハンドル１４の把持部７６の後ろ側を押し下げると、第２綴じ板２２０の綴杆挿入穴２２４内に綴杆ピン２１２が挿入されて、たとえば図２６に示すように、綴じ具２００はリーフ（用紙）Ｐの綴じ孔Ｈに取り付けられる。
ハンドル１４から手を離すと、ハンドル１４の後ろ側が上方に上昇し、それに連動して、上下動軸棒９０が上方に上昇し、押圧部２２は、綴じ具２００から離れる。
そこで、リーフ（用紙）Ｐは、パンチ１０より取り出される。
なお、本発明に係るパンチ１０では、被綴じ物載置部２６の穿孔領域２６ｂにリーフ（用紙）Ｐを挿入し、当該リーフ（用紙）Ｐに綴じ穴Ｈを穿孔する穿孔作業を実施する場合、あるいは、綴じ穴Ｈが穿孔されたリーフ（用紙）Ｐの当該綴じ穴Ｈに、被綴じ物載置部２６の綴じ込み領域２６ｃにおいて、綴じ具２００を取付ける綴じ具取付け作業を実施する場合に、例えば、ハンドル１４の把持部７６の後ろ側およびベース１２の把持部７８の後ろ側の双方を把持して双方を互いに押圧することによって、当該作業を実施する方法と、ベース１２をたとえば机上に載置し、ハンドル１４をベース側に押圧することによって、当該作業を実施する方法とがある。
【００４４】
上述のパンチ１０では、ハンドル１４を上下動した際に上下動軸棒９０で押圧部２２を上下動する構成を有するが、そのような構成の代わりに、ハンドル１４を上下動した際に押圧部２２に当接して押圧部２２を上下動するたとえば板状の部材やブロック状の部材がハンドル１４の内側に設けられてもよい。
【００４５】
上述の綴じ具２００では、第１綴じ板２１０と連設部２３０とがヒンジ部２４０により屈曲自在に連続されているが、第１綴じ板２１０と連設部２３０とは、断面Ｌ字状に固定して連続されてもよい。
【符号の説明】
【００４６】
１０  パンチ
１２  ベース
３０  支持部設置用穴
３２、３４  支持部設置用窪み
３８  ストッパ
１５０  綴じ具保持用凹部
１５０ａ  第１の綴じ具保持用凹部
１５０ｂ  第２の綴じ具保持用凹部
１５２  綴じ具保持用補助凹部
１４  ハンドル
７０  支持軸部
７２  支持軸部用孔部
７４  上下動軸挿通用孔
７６，７８  把持部
１６  パンチ刃
８０  上下動軸挿通用孔
９０  上下動軸棒
９２  挿通部
９４ａ，９４ｂ  支持端部
１８  ばね
６０  コイル部
６２  第１ばね脚部６２
６４  第２ばね脚部６４
２０  綴具取付け部
２２  押圧部
１００  支持軸部
１０２  押圧用凸部
１０４、１０６  上下動軸挿通用長孔
１２０  右側壁
１２２  左側壁
１２４  前壁
１２６  後壁
１４０  支持軸部嵌挿入孔
１４２  支持軸部嵌挿入孔
２４  支持部
２５ａ，２５ｂ  壁面
４０  設置部材
４２  被綴じ物挿通用スリット
４４  押圧部支持用凹部
４６ａ，４６ｂ  ハンドル支持用凹部
４８  パンチ刃挿通用孔
５０ａ，５０ｂ  上下動軸挿通用長孔
５２  ばね用穴
５４，５６  支持部設置用突部
５８  パンチ刃嵌挿孔
２６  被綴じ物載置部
２６ａ  差し込み口
２６ｂ  穿孔領域
２６ｃ  綴じ込み領域
２８  位置決め部
２８ａ，２８ｂ  垂直壁
２００  綴じ具
２１２  綴杆ピン
２１０  第１綴じ板
２２０  第２綴じ板
２１０ａ， ２２０ａ  大径部
２１０ｂ， ２２０ｂ  小径部
２２２  受け部
２２４  綴杆挿入穴
２３０  連設部
２４０、２４２  ヒンジ部
Ｐ  リーフ（用紙）
Ｈ  綴じ孔
【図１】
0006043324.tif 000002
【図２】
0006043324.tif 000003
【図３】
0006043324.tif 000004
【図４】
0006043324.tif 000005
【図５】
0006043324.tif 000006
【図６】
0006043324.tif 000007
【図７】
0006043324.tif 000008
【図８】
0006043324.tif 000009
【図９】
0006043324.tif 000010
【図１０】
0006043324.tif 000011
【図１１】
0006043324.tif 000012
【図１２】
0006043324.tif 000013
【図１３】
0006043324.tif 000014
【図１４】
0006043324.tif 000015
【図１５】
0006043324.tif 000016
【図１６】
0006043324.tif 000017
【図１７】
0006043324.tif 000018
【図１８】
0006043324.tif 000019
【図１９】
0006043324.tif 000020
【図２０】
0006043324.tif 000021
【図２１】
0006043324.tif 000022
【図２２】
0006043324.tif 000023
【図２３】
0006043324.tif 000024
【図２４】
0006043324.tif 000025
【図２５】
0006043324.tif 000026
【図２６】
0006043324.tif 000027
【図２７】
0006043324.tif 000028